(57)【要約】【課題】フィスカルデータの改ざん、不正アクセスを防止するデータ記憶装置、および印刷装置を提供する。【解決手段】少なくとも、情報を記憶する記憶部８１と情報の伝達を行う接続端子４３とが実装された基板３２と、前記基板３２を収納するとともに、前記接続端子４３の接続部を外部に露出させる開口部３５が形成された筐体３１と、前記筐体３１の前記開口部３５を遮蔽可能な遮蔽板４６と、前記接続端子４３と、前記接続端子４３が接続される受け端子９１との接続状態を検知して、前記遮蔽板４６を作動させる遮蔽板作動機構４５とを備え、前記遮蔽板作動機構４５は、前記接続端子４３が前記受け端子９１から離脱されたことを検知したとき、前記遮蔽板４６を作動させ前記開口部３５を遮蔽することを特徴とするデータ記憶装置３００。【選択図】図８
2011116042.tif 000002
【特許請求の範囲】
【請求項１】
少なくとも、情報を記憶する記憶部と、情報の伝達を行う接続端子と、が実装された基板と、
前記基板を収納するとともに、前記接続端子の接続部を外部に露出させる開口部が形成された筐体と、
前記筐体の前記開口部を遮蔽可能な遮蔽板と、
前記接続端子と、前記接続端子が接続される受け端子との接続状態を検知して、前記遮蔽板を作動させる遮蔽板作動機構と、を備え、
前記遮蔽板作動機構は、前記接続端子が前記受け端子から離脱されたことを検知したとき、前記遮蔽板を作動させ前記開口部を遮蔽することを特徴とするデータ記憶装置。
【請求項２】
前記遮蔽板作動機構は、前記遮蔽板と、
前記遮蔽板を一方向に付勢する付勢手段と、
前記遮蔽板の移動を係止する第１遮蔽板係止手段と、
前記接続端子が前記受け端子から離脱されたことを検知したとき、前記第１遮蔽板係止手段の係止を解除するとともに、前記遮蔽板の移動を係止する第２遮蔽板係止手段と、を備えることを特徴とする請求項１に記載のデータ記憶装置。
【請求項３】
前記第２遮蔽板係止手段は、前記受け端子側に設けられていることを特徴とする請求項１および２に記載のデータ記憶装置。
【請求項４】
記録用紙に前記情報を印刷する印刷部と、
少なくとも前記印刷部を備える印刷装置本体部と、
請求項１乃至３のいずれか一項に記載のデータ記憶装置と、を備え、
前記印刷装置本体部は前記受け端子を有し、前記データ記憶装置は、前記接続端子および前記受け端子によって接続されていることを特徴とする印刷装置。
【請求項５】
前記データ記憶装置は、前記筐体内部に前記印刷装置本体部の動作を制御する制御部を備えていることを特徴とする請求項４に記載の印刷装置。
【発明の詳細な説明】
【技術分野】
【０００１】
本発明は、販売、物流、商流等の業界における会計処理に伴うデータを記憶するデータ記憶装置、および、そのデータ記憶装置を備えた印刷装置に関する。
【背景技術】
【０００２】
販売、物流、商流の業界においては、会計情報を処理する各種システム（ＰＯＳシステム等）が用いられている。このようなシステムにおいて、会計情報を記録して発行するために印刷装置としてのプリンターが用いられる。この種のプリンターとしては、フィスカルプリンターと呼ばれるものがある。フィスカルプリンターは、会計情報を記録して発行する印刷本体部と、記録した会計情報を記憶するデータ記憶装置とを備えている。このデータ記憶装置に記憶されるデータは、例えば、税金に関するものであり徴税を確実なものとするために用いられる。
【０００３】
そのため、データ記憶装置は、会計情報に基づくデータが改ざんできないような構造であることが望まれる。そのため、データの改ざんやデータへの不正アクセスを目的とする基板やメモリーの取り外しを防止する必要がある。データを記憶するメモリー等の電子部品が実装された基板をカバー（筐体）に収容し、そのカバーを留めるねじにワイヤーで回り止めをし、そのワイヤーを封印する封印構造が提案されている（例えば、特許文献１参照）。
【先行技術文献】
【特許文献】
【０００４】
【特許文献１】特開２００７−２４２９１号公報
【発明の概要】
【発明が解決しようとする課題】
【０００５】
近年、データ記憶装置において、データ記憶装置を筐体に収容し１つの製品として固有の番号を付与して管理するようになっている。この種のデータ記憶装置は、フィスカルプリンター本体部に接続端子等によって着脱可能に取り付けられる。そのため、データの改ざんやデータへの不正アクセスを目的として、データ記憶装置を不正に取り外すことが予想される。従って、取り外されたことを履歴および形跡に残すこと、メモリー等の電子部品に対して不正アクセスができないこと、データの改ざん後に再取り付けができないこと等が要求される。
【課題を解決するための手段】
【０００６】
本発明は、上述の課題の少なくとも一部を解決するためになされたものであり、以下の形態または適用例として実現することが可能である。
【０００７】
（適用例１）少なくとも、情報（データ）を記憶する記憶部と、情報の伝達を行う接続端子と、が実装された基板と、前記基板を収納するとともに、前記接続端子の接続部を外部に露出させる開口部が形成された筐体と、前記筐体の前記開口部を遮蔽可能な遮蔽板と、前記接続端子と、前記接続端子が接続される受け端子との接続状態を検知して、前記遮蔽板を作動させる遮蔽板作動機構と、を備え、前記遮蔽板作動機構は、前記接続端子が前記受け端子から離脱されたことを検知したとき、前記遮蔽板を作動させ前記開口部を遮蔽することを特徴とするデータ記憶装置。
【０００８】
この構造によれば、データ記憶装置が取り外されたとき、すなわち、データ記憶装置の接続端子が受け端子から離脱したとき、遮蔽板作動機構によって作動される遮蔽板は、接続端子の接続部を露出させている開口部の一部もしくは全部を遮蔽することができる。そのため、接続端子の端子部からの不正アクセスを防止できる。また、開口部が遮蔽されていることによって取り外されたことがわかるとともに、受け端子に再接続することができない。そのため、不正を防止することができる。
【０００９】
（適用例２）前記遮蔽板作動機構は、前記遮蔽板と、前記遮蔽板を一方向に付勢する付勢手段と、前記遮蔽板の移動を係止する第１遮蔽板係止手段と、前記接続端子が前記受け端子から離脱されたことを検知したとき、前記第１遮蔽板係止手段の係止を解除するとともに、前記遮蔽板の移動を係止する第２遮蔽板係止手段と、を備えることを特徴とする上記のデータ記憶装置。
【００１０】
（適用例３）前記第２遮蔽板係止手段は、前記受け端子側に設けられていることを特徴とする上記のデータ記憶装置。
【００１１】
この構造によれば、データ記憶装置は、初期段階、すなわちデータ記憶装置の接続端子が受け端子に接続されていない状態では、遮蔽板は第１遮蔽板係止手段に係止され、開口部の接続端子は遮蔽されず露出している。データ記憶装置の接続端子が受け端子に接続されたことを検知すると、第１遮蔽板係止手段の係止は解除され、付勢手段によって付勢される遮蔽板は、受け端子側の第２遮蔽板係止手段に係止される。接続端子と受け端子が離脱すると、受け端子側に設けられた第２遮蔽板係止手段は離脱して付勢される遮蔽板の係止が解除される。そのため、遮蔽板は、開口部を遮蔽することができる。
【００１２】
（適用例４）記録用紙に前記情報を印刷する印刷部と、少なくとも前記印刷部を備える印刷装置本体部と、上記のデータ記憶装置と、を備え、前記印刷装置本体部は前記受け端子を有し、前記データ記憶装置は、前記接続端子および前記受け端子によって接続されていることを特徴とする印刷装置。
【００１３】
この構成によれば、印刷装置は、情報（会計情報）を印刷できるとともに、必要な情報をメモリーに記憶することができる。また、データ記憶装置は、不正に取り外されたとき、接続端子部が遮蔽され不正アクセス、データの改ざんを低減することができる。また、再接続ができなくなるため、不正を抑制することができる。
【００１４】
（適用例５）前記データ記憶装置は、前記筐体内部に前記印刷装置本体部の動作を制御する制御部を備えていることを特徴とする上記の印刷装置。
【００１５】
これらの構成によれば、データ記憶装置は、メモリー等の記憶部および印刷装置本体部の制御部を有している。すなわち、メモリーを外した状態では印刷できない。そのため、レシートとして発行する会計情報の内の必要情報を確かにメモリーに記憶することができる。
【図面の簡単な説明】
【００１６】
【図１】サーマルプリンターの外観構成を示す斜視図。
【図２】カバーフレームが開いた状態のプリンター機構部の斜視図。
【図３】カバーフレームが閉じた状態のプリンター機構部の斜視図。
【図４】サーマルプリンターの概略側断面図。
【図５】サーマルヘッドの外観斜視図。
【図６】データ記憶装置の外観を示す図。
【図７】データ記憶装置およびプリンター本体部の構成を示すブロック図。
【図８】遮蔽板作動機構を説明する図。
【図９】遮蔽板作動機構の動作を説明する図。
【図１０】データ記憶装置とプリンター本体部との関係を示す斜視図。
【発明を実施するための形態】
【００１７】
以下、本実施形態を、図面を参照して説明する。なお、以下の説明で参照する図面では、説明および図示の便宜上、部材ないし部分の縦横の縮尺を実際のものとは異なるように表す場合がある。
【００１８】
（印刷装置の全体構成について）
本実施形態の印刷装置として、サーマルプリンターを例にとり図１〜４を参照して説明する。図１は、サーマルプリンターの外観構成を示す斜視図である。図２および図３は、プリンター機構部の外観を示す斜視図であり、詳しくは、図２は、カバーフレームが開いた状態のプリンター機構部の斜視図であり、図３は、カバーフレームが閉じた状態のプリンター機構部の斜視図である。図４は、サーマルプリンターの側断面図である。
【００１９】
このサーマルプリンターは、フィスカルプリンターとして用いられ、レシート等に会計情報を印刷して発行することや、この会計情報をデータとして記憶することに適用される。サーマルプリンターは、記録用紙としてロール状の感熱紙を使用して、この感熱紙に会計情報を印刷して発行する。また、会計情報の中の、例えば税金に関する情報をフィスカルデータとしてフィスカルメモリーに記憶する。なお、図１〜図４に示すＸ方向は、印刷される感熱紙の幅方向を示し、Ｚ方向は、印刷ヘッドとしてのサーマルヘッド部での感熱紙の紙送り方向を示し、Ｙ方向は、Ｘ方向およびＺ方向と直交する方向を示す。
【００２０】
図４に示すように、サーマルプリンター１００は、印刷装置本体部としてのプリンター本体部１８０とデータ記憶装置３００とから構成される。プリンター本体部１８０は、プリンター機構部１５０と、外装ケース２００とから構成される。後述するデータ記憶装置３００は、プリンター本体部１８０に着脱可能に接続される。
【００２１】
図２〜４に示すプリンター機構部１５０は、図１に示す外装ケース２００に収容される。詳しくは、プリンター機構部１５０は、樹脂等からなる下ケース２０５の上部に固定され、側面部および後方部は、上ケース２１０に覆われており、そのＹ方向の前方部分は、パネル２１５により覆われている。プリンター機構部１５０の上面は上部カバー２２０に覆われている。データ記憶装置３００は、下ケース２０５の下部に内部接続端子４３および受け端子としてのコネクター９１を介して配置される。
【００２２】
図１に示すように、上ケース２１０の上面のＸ方向の一方の側には、オープンボタン２３０が設けられている。オープンボタン２３０は、図１中矢印Ｂ方向に押し下げられることによって、図３に示すプリンター機構部１５０に設けられたカバーオープンレバー２３５を、支点２４０を中心に回転させることができる。カバーオープンレバー２３５は、図２に示すカバーフレーム１２のロック機構と係合しており、時計方向に回転されることにより、ロック機構が解除される。さらに、カバーフレーム１２は、上部カバー２２０と結合されている。そのため、上部カバー２２０が矢印Ｃ方向に開き、ロール紙ホルダー１６が露出する。すなわち、この状態が、図２に示すプリンター機構部１５０のカバーフレーム１２が開いた状態である。このようにすることにより、ロール状の感熱紙Ｓのセットもしくは取り出しができる。
【００２３】
なお、本実施形態で使用する感熱紙Ｓは、発色剤がバインダー等により保持されている発色層からなる印刷面を有し、この印刷面を外面に順次積層され構成されているロール状の感熱紙Ｓである。以降、このロール状の感熱紙をロール紙Ｒと呼ぶ。
【００２４】
（プリンター機構部の全体構成について）
ここで、プリンター機構部の詳細を図２〜５を参照して説明する。図５はサーマルヘッドの外観斜視図である。なお、図５に示すＸ方向およびＺ方向は、図１〜４に示すＸ方向およびＺ方向と同一方向である。図２〜４に示すように、プリンター機構部１５０は、本体フレーム６０と、カバーフレーム１２と、ロール紙ホルダー１６と、カッター部２０と、印刷部７０と、を備えている。
【００２５】
図２に示すように、本体フレーム６０は、板金等からなり、Ｚ方向上方およびＹ方向前方に開口を有する略箱型に形成されている。カバーフレーム１２は、本体フレーム６０の上部後方に設けられている。カバーフレーム１２は、本体フレーム６０の後部両側の上端部に設けられた支軸６８を中心として開閉自在に取り付けられている。カバーフレーム１２には、カバーフレーム１２を閉じた際にロール紙Ｒとの接触を避けるための円弧状の覆い１５が設けられている。また、サーマルプリンター１００の設置角度を変える場合、すなわち、例えば縦置きにする場合、この覆い１５は、ロール紙Ｒを受ける保持部材としても機能する。
【００２６】
図２に示すように、ロール紙ホルダー１６は、本体フレーム６０の箱状に形成された内部の後方に、上記カバーフレーム１２に覆われて設けられている。ロール紙ホルダー１６は、樹脂等により形成され、中央部にロール紙Ｒの最大径に相当する略円弧状のくぼみを有し、本体フレーム６０の底部に、円弧状のくぼみの側面開口が本体フレーム６０の両側面側に向くように取り付けられている。本体フレーム６０の内側の両側面部分は、ロール紙Ｒの側面ガイド部として機能する。そのため、ロール紙Ｒは、側面を本体フレーム６０の内側の両側面部分に幅方向の動きを規制され、ロール紙ホルダー１６の略円弧状のくぼみに回転自在に保持される。
【００２７】
（カッター部について）
図４に示すように、カッター部２０は、本体フレーム６０の前方すなわちカバーフレーム１２の支軸６８とは相対する位置であって紙出口Ｇの近傍に設けられている。カッター部２０は、可動刃２１とその駆動手段２２と固定刃２７とを備えている。可動刃２１とその駆動手段２２とは、第１カッターカバー２４内に収容され本体フレーム６０側に配置されている。可動刃２１は、駆動手段２２により図中矢印Ｅ方向に往復移動する。固定刃２７は、第２カッターカバー２９内に収容されカバーフレーム１２側、すなわち、感熱紙Ｓが通過する搬送経路を挟んで対向する側に配置されている。そのため、カバーフレーム１２を閉じた状態では、駆動手段２２により往復移動される可動刃２１の刃部と固定刃２７の刃部とが当接状態で摺動する。このことによって、感熱紙Ｓは紙出口Ｇ近傍で切断される。
【００２８】
（印刷部について）
図４に示すように、印刷部７０は、ロール紙ホルダー１６を始点として、カッター部２０の紙出口Ｇを終点とする感熱紙Ｓの搬送経路Ｄ上の出口近傍に設けられている。印刷部７０は、サーマルヘッド１０とヘッド保持機構７７とプラテン７１とを有している。なお、サーマルヘッド１０とヘッド保持機構７７とは本体フレーム６０側に、プラテン７１はカバーフレーム１２側に分離可能な状態で配設されている。
【００２９】
図５に示すように、サーマルヘッド１０は、放熱板１０６とヘッド支持軸１０２と基板としてのヘッド基板１１０とドライバーＩＣ１２０とＦＰＣ１０８とを有している。ヘッド基板１１０は、長矩形形状を呈しており、複数の発熱素子１４５からなる発熱素子列１４５ａが長手方向に沿って図中Ｚ方向上方に形成されている。また、発熱素子列１４５ａと平行して、発熱素子１４５を駆動する複数のドライバーＩＣ１２０が配設されている。放熱板１０６は、アルミニウム等の引き抜き材で形成され、ヘッド基板１１０が放熱板１０６の係止面１０６ａに両面粘着テープ等で貼り付けられている。
【００３０】
放熱板１０６のヘッド基板１１０のＺ方向上方には、案内斜面部１０４が放熱板１０６の長手方向にわたって形成されている。この案内斜面部１０４は、図４に示すカバーフレーム１２を閉じる際に、プラテン７１を滑動させて所定の位置まで案内する。この際、案内斜面部１０４の傾斜は、プラテン７１がヘッド基板１１０と衝突しないような所定の角度を有している。また、案内斜面部１０４の斜面は、この案内斜面部１０４に近接して付設されたヘッド基板１１０と略同じ高さになるように設定されている。ヘッド支持軸１０２は円柱状の丸ピンであり、放熱板１０６の左右の側面部に設けられた穴部に圧入されている。ＦＰＣ１０８は、一端をヘッド基板１１０に設けられた図示しない接続端子に接続され、他端は図４に示す中継部９５に接続されている。なお、この中継部９５が、プリンター本体部１８０の配線等が集約され、データ記憶装置３００を接続する機能を有する。
【００３１】
図４に示すヘッド保持機構７７は、本体フレーム６０に形成された溝部としての切り欠き部６２とヘッド押圧板７２とヘッド押圧板７２に取り付けられるバネ７５とから構成されている。切り欠き部６２は、本体フレーム６０の上方に開口を有するとともに複数の溝部が形成されている。サーマルヘッド１０は、ヘッド支持軸１０２が本体フレーム６０の切り欠き部６２の一部に挿入されることによって、本体フレーム６０に取り付けられる。ヘッド押圧板７２は、上下に曲げ部が形成され、圧縮コイルバネであるバネ７５が固定されている。このヘッド押圧板７２は、切り欠き部６２に挿入され、曲げ部がそれぞれ切り欠き部６２の一部に係合することによって本体フレーム６０に取り付けられる。
【００３２】
このようにすることによって、サーマルヘッド１０とヘッド押圧板７２とは、切り欠き部６２の両側に、互いに略平行状態で支持される。ヘッド押圧板７２に固定されるバネ７５は、サーマルヘッド１０の背面に当接する。このバネ７５によりサーマルヘッド１０はプラテン７１方向に付勢される。このヘッド保持機構７７は、ヘッド押圧板７２に固定されたバネ７５をサーマルヘッド１０の背面からずらすことによって、切り欠き部６２から取り外すことができる。サーマルヘッド１０もバネ７５からの付勢力がなくなることによって、切り欠き部６２から取り外すことができる。このようにして、サーマルヘッド１０は本体フレーム６０に対して、着脱可能に支持される。
【００３３】
図２および図４に示すように、プラテン７１は、ゴム等の弾性部材により円筒形のローラー状に形成され、プラテン軸受７３を介してカバーフレーム１２に回転可能に支持されている。プラテン７１の一方の軸には、プラテン歯車７４が圧入されている。本体フレーム６０には、溝部６４が設けられており、カバーフレーム１２を閉じると、プラテン７１が、サーマルヘッド１０の案内斜面部１０４（図５参照）に案内された後、プラテン軸受７３が溝部６４と当接する。さらに、サーマルヘッド１０によるプラテン７１への加圧力で、カバーフレーム１２には下向きの力が作用し、プラテン７１の位置が定められる。
【００３４】
以上の構成により、図４に示すように、プラテン７１は、感熱紙Ｓの内面Ｓ２の側から感熱紙Ｓをサーマルヘッド１０の方向に押圧し、プラテン７１と対向するサーマルヘッド１０は、感熱紙Ｓの外面Ｓ１の側から感熱紙Ｓをプラテン７１の方向に押圧して、感熱紙Ｓを挟持する。なお、このとき感熱紙Ｓの外面Ｓ１の表面に、前述の発色層が形成されている。また、図２に示すように、本体フレーム６０の側面には、プラテン７１を回転駆動させるための紙送りモーター６６と紙送り伝達歯車６７とが設けられている。上述のように、プラテン７１が本体フレーム６０の溝部６４に位置決めされることによって、プラテン歯車７４と紙送り伝達歯車６７とが噛み合い、紙送りモーター６６からの動力がプラテン７１へ伝達される。
【００３５】
上述の構成を有するサーマルプリンター１００は、上部カバー２２０と連結するカバーフレーム１２を開き感熱紙Ｓからなるロール紙Ｒをセットして、感熱紙Ｓを紙出口Ｇまで引き出し、上部カバー２２０と連結するカバーフレーム１２を閉じることによって、感熱紙Ｓはプラテン７１とサーマルヘッド１０との間、および可動刃２１と固定刃２７との間にセットされる。そして、紙送りモーター６６を起動しプラテン７１を回転させて感熱紙Ｓを送りながら、サーマルヘッド１０の直線状に配置された発熱素子１４５を選択的に通電して発熱させることによって、感熱紙Ｓに所定の情報を印刷することができる。また、カッター部２０を駆動して固定刃２７に対して可動刃２１を往復移動させることにより、情報が印刷された感熱紙Ｓを所定の長さに切断してレシート等の単票として発行することができる。
【００３６】
（データ記憶装置の全体構成について）
ここで、データ記憶装置の全体構成について、図６および図７を参照して説明する。図６は、データ記憶装置の外観を示す図であり、（ａ）は、外部接続端子側から見た斜視図、（ｂ）は、内部接続端子側から見た斜視図である。図７は、データ記憶装置およびプリンター本体部の構成を示すブロック図である。なお、図６に示すＸ方向、Ｙ方向およびＺ方向は、図１〜４に示すＸ方向、Ｙ方向およびＺ方向と同一方向である。
【００３７】
本実施形態におけるデータ記憶装置３００は、上述のサーマルプリンター１００の駆動回路や会計情報をデータとして記憶するフィスカルメモリー等の電子部品が実装された基板を有している。サーマルプリンター１００（フィスカルプリンターともいう）は、販売等の商取引に際し顧客に渡すレシートや、業者用にレシートの内訳、売り上げの合計金額および商品品目ごとの合計金額等の会計情報を記録したジャーナルを個別に印刷して発行する。なお、サーマルプリンター１００は、駆動回路によって駆動制御される。
【００３８】
フィスカルメモリーは、これらの会計情報のうち税金に関する情報（以降、フィスカルデータという）を記憶する。このフィスカルデータは、例えば、徴税を確実なものとするために用いられ、必要に応じ政府の調査官がフィスカルデータを読み出し調査する。フィスカルメモリーに記憶されるフィスカルデータは改ざんできないようにする必要がある。そのため、データ記憶装置３００の仕様に関しては、法律（フィスカル法）で厳しく規制されている。例えば、一旦、プリンター本体部１８０と接続された後は、容易に離脱できないこと、不正に離脱した場合は再接続できないこと等が規制されている場合がある。なお、このフィスカル法の内容やフィスカルデータの定義はそれぞれの国によって異なっている。
【００３９】
図６（ａ），（ｂ）に示すように、データ記憶装置３００は、本体ケース３１とメイン基板３２と外部接続端子４２と内部接続端子４３と遮蔽板作動機構４５とを備える。本体ケース３１は、底面側が開放された略長方形の箱状の第１ケース３３と底面となる第２ケース３４とから構成され、長方形の箱形状を呈している。図６（ａ）に示す本体ケース３１の一方の側面３１ａには、外部接続端子４２の接続部が露出している。図６（ｂ）に示す本体ケース３１の他方の側面３１ｂには、開口部３５が設けられ、開口部３５の奥には内部接続端子４３が接続部を外方向に向け配設されている。この開口部３５と内部接続端子４３の接続部との近傍には、遮蔽板作動機構４５が設けられている。また、本体ケース３１の内部には、メイン基板３２が収容されている。メイン基板３２および遮蔽板作動機構４５の詳細については後述する。
【００４０】
なお、法律（フィスカル法）によって、本体ケース３１は容易に分解できない構造であること、また、許可なく分解したときはその履歴が残ることが要求されている。本実施形態では特に限定しないが、第１ケース３３と第２ケース３４とは、例えば、特殊工具を用いて締結したり、不可逆構造のフックを用いて固着したり、シール材や接着材で固定したりして組み立てることが好ましい。
【００４１】
（メイン基板について）
次いで、メイン基板について、図７を参照して説明する。図７に示すように、メイン基板３２は、プリンター制御部７８とフィスカルデータ処理部８０と外部接続端子４２と内部接続端子４３とから構成されている。プリンター制御部７８は、プリンター制御用ＣＰＵ（Central Processing Unit）７９と、図示しない情報処理部と、サーマルヘッドや各種モーターを駆動する図示しないドライバー等を備えている。プリンター制御用ＣＰＵ７９は、図示しない操作系や検出系からの入力信号処理、印刷処理等の各種処理を実行し、プリンター本体部１８０（サーマルプリンター１００）を統括制御する。
【００４２】
フィスカルデータ処理部８０は、フィスカルメモリー８１と、ＥＪ（Electrical Journal)メモリー８２と、フィスカル制御部８３と、プロテクト回路８４と、ＲＴＣ（Real Time Clock)８７と、ＳＲＡＭ（Static Random Access Memory）８８と、バッテリー８９とを備える。フィスカルメモリー８１は、ワンタイムＲＯＭ（Read Only Memory）と呼ばれる１つのアドレスに１度しか書き込みできないタイプのメモリーを使用し、売り上げの集計値等の税金に関するフィスカルデータを記憶する。ＥＪメモリー８２は、電子ジャーナルメモリーであり、ＮＡＮＤ型フラッシュメモリー等の不揮発性記憶素子が適用され個々の売り上げデータ等を記憶する。
【００４３】
フィスカル制御部８３は、フィスカル制御用ＣＰＵ８５とプログラマブルＲＯＭ８６とを備える。フィスカル制御用ＣＰＵ８５は、フィスカルデータ処理部８０を統括制御し、会計情報等のデータを処理する。プログラマブルＲＯＭ８６は、プログラム可能な論理回路を書き込んだデバイスであり、フィスカルメモリー８１への書き込みや読み出しその他を制御する。プロテクト回路８４は、フィスカルメモリー８１やＥＪメモリー８２に記憶されるデータへの不正アクセスや改ざんの防止の機能を持っている。
【００４４】
ＲＴＣ８７は、リアルタイムクロックであり、年月日時間をカウントするＩＣである。ＳＲＡＭ８８は、ワーキングメモリーとして機能してフィスカルデータ等の各種データを一時的に格納したり、フィスカル制御用ＣＰＵ８５によって実行されるデータ処理等のプログラムを一時的に展開したりする。また、ＳＲＡＭ８８は、バッテリーバックアップ機能を有しており、バッテリー８９を電源としている。また、バッテリー８９は、ＲＴＣ８７にも電気を供給し、メイン電源が遮断された状態でも時間をカウントしている。
【００４５】
外部接続端子４２は、複数のポートを有しており、ホストコンピューター９０とプリンター制御部７８およびフィスカルデータ処理部８０とを接続し、ホストコンピューター９０とコマンドやデータの送受信を行う。また、外部接続端子４２は、フィスカルポートを有しており、政府の調査官がフィスカルメモリー８１のフィスカルデータを読み出すときのみに使われる。内部接続端子４３は、１つのコネクターで構成され、プリンター機構部１５０を含むプリンター本体部１８０に設けられたコネクター９１と接続し、印刷データや各種機構への駆動信号を送信したり、プリンター本体部１８０からのセンサー検出信号を受信したりする。なお、内部接続端子４３には図示しない電子スイッチが内包されている。電子スイッチは、データ記憶装置３００がプリンター本体部１８０から取り外されたことを電気的に検知して、信号をＲＴＣ８７に送る。ＲＴＣ８７では、信号を受信した時間を求め、その結果をいずれかのメモリーに送り記憶させる。
【００４６】
上述の構成を有するデータ記憶装置３００は、ホストコンピューター９０から送られるコマンドと会計情報を含む印刷データを、プリンター制御部７８で処理してプリンター本体部１８０で感熱紙Ｓに印刷してレシートとして発行する。また、データ記憶装置３００は、印刷データをフィスカルデータ処理部８０で処理して印刷データの中から必要データを抜き出し、ＥＪメモリー８２に順次記憶させる。ＥＪメモリー８２には、レシートごとにこのようなデータが蓄積される。さらには、印刷データやＳＲＡＭ８８に一時格納されたデータの中から、税金に関係するフィスカルデータを選択してフィスカルメモリー８１に記憶させる。このとき必要に応じ、ＲＴＣ８７による時間情報等も付与される。この選択および処理は、主にプログラマブルＲＯＭ８６に格納されるプログラムを用いフィスカル制御用ＣＰＵ８５で制御される。
【００４７】
法律（フィスカル法）では、フィスカルメモリー８１やＥＪメモリー８２に容易にアクセスできないことと、アクセスした場合はその履歴が残ることが要求されている。そのため、フィスカルメモリー８１およびＥＪメモリー８２の前段にはプロテクト回路８４が設けられ、例えば、フィスカル制御用ＣＰＵ８５から発せられる許可信号に基づいてのみアクセスが許可される。なお、このプロテクト回路８４の仕様については、特に限定しない。マイコンであってもよいし、ＣＰＬＤ（Complex Programmable Logic Device）であってもよい。
【００４８】
政府の調査官が、調査のためにフィスカルメモリー８１のフィスカルデータを読み出すときは、例えば、秘密のＩＤ情報を使用して専用のフィスカルポートを用いる。フィスカル制御用ＣＰＵ８５では、ＩＤ情報を認識してプロテクト回路８４の読み取り許可信号を発してフィスカルメモリー８１へのアクセスを許可する。なお、必要に応じＥＪメモリー８２へのアクセスも許可する。なお、このアクセス履歴は、ＲＴＣ８７による時間情報が付与され、フィスカルメモリー８１に記憶される。
【００４９】
（遮蔽板作動機構について）
次いで、遮蔽板作動機構について、図８〜１０を参照して説明する。図８は、遮蔽板作動機構を説明する図であり、（ａ）は、初期状態の遮蔽板作動機構を本体ケースの内面側からみた斜視図、（ｂ）は、付勢手段としての板バネの斜視図、（ｃ）は、中継部の受け端子周辺の斜視図である。図９は、遮蔽板作動機構の動作を説明する図であり、図１０は、データ記憶装置とプリンター本体部との関係を示す斜視図である。なお、図８〜１０に示すＸ方向、Ｙ方向およびＺ方向は、図１〜４に示すＸ方向、Ｙ方向およびＺ方向と同一方向である。
【００５０】
図８（ａ），（ｂ），（ｃ）に示すように、遮蔽板作動機構４５は、遮蔽板４６と、付勢手段としてのバネ４７と、遮蔽板ガイド４４と、第１遮蔽板係止手段４８と、第２遮蔽板係止手段４９とを備え、本体ケース３１の内面３１ｃの開口部３５周辺に設置される。
遮蔽板４６は、本体ケース３１の開口部３５を遮蔽する大きさの平板形状に形成され、開口部３５の両脇に配置されるＬ字型の遮蔽板ガイド４４に両端をガイドされ、Ｚ方向に移動自在に配置されている。遮蔽板４６は、圧縮コイルバネであるバネ４７に上辺４６ｂを付勢され、Ｚ（−）方向にバネ力を受けている。なお、この遮蔽板４６は、下辺４６ｃを後述する第１遮蔽板係止手段４８の第１係止ピン５２に係止されている。
【００５１】
図８（ｂ）に示すように、第１遮蔽板係止手段４８は、弾性を有する板状の部材、例えば板バネで形成される第１係止板５１を有している。第１係止板５１は、中央部がＹ（−）方向に円弧状に形成され、円弧状の面５１ａの中央部には上記の第１係止ピン５２が設けられている。第１係止ピン５２は、円柱ピンが埋め込まれていてもよいし、絞り加工で凸状に形成されていてもよい。また、第１係止板５１のＸ方向両端は平板状に形成され、前述の遮蔽板ガイド４４に取り付けられる取付け穴５１ｃが形成されている。この第１係止板５１は、第１係止ピン５２および円弧状の面５１ａが上記遮蔽板４６に対向するように、遮蔽板ガイド４４の面４４ａに取り付けられる。取付け方法は、熱カシメでもよいし、ねじによる締結であってもよい。
【００５２】
図６（ｂ）および図８（ａ）に示すように、本体ケース３１は、第１係止板５１の第１係止ピン５２が配置される位置近傍に、外面まで貫通する貫通孔５３が形成されている。上述の構造を有する遮蔽板作動機構４５は、図８（ａ）に示す初期状態において、バネ４７でＺ（−）方向に付勢されバネ力を受けている遮蔽板４６を、第１係止板５１の第１係止ピン５２で係止して、データ記憶装置３００の開口部３５をオープン状態にすることができる。
【００５３】
図８（ｃ）に示すように、第２遮蔽板係止手段４９は、プリンター本体部１８０側の中継部９５のコネクター９１側に設けられている。第２遮蔽板係止手段４９は、第２係止ピン５４を備えている。第２係止ピン５４の位置は、プリンター本体部１８０とデータ記憶装置３００とが内部接続端子４３とコネクター９１で接続されたとき、本体ケース３１に設けられた貫通孔５３の位置に対応する。
【００５４】
次いで、遮蔽板作動機構の動作を図８〜１０を参照して説明する。前述のように、図８（ａ）は、初期状態、すなわちデータ記憶装置３００がプリンター本体部１８０に接続される前の状態を示し、図９（ａ）は、データ記憶装置３００がプリンター本体部１８０に接続されている状態を示し、図９（ｂ）は、データ記憶装置３００がプリンター本体部１８０から離脱された後の状態を示す。なお、図８（ａ）の説明は省略する。
【００５５】
図１０に示すように、データ記憶装置３００は、外装ケース２００の下ケース２０５の後部に形成された挿入口２０５ａから挿入され、プリンター本体部１８０の中継部９５に配置された１つのコネクター９１に１つの内部接続端子４３が接続される。このとき、図９（ａ）に示すように、本体ケース３１の貫通孔５３に第２係止ピン５４が挿入される。挿入された第２係止ピン５４は、第１遮蔽板係止手段４８の第１係止板５１の面５１ａの中央部付近を内部方向、すなわちＹ（＋）方向に押す。第１係止板５１は、中央部がＹ（−）方向に円弧状に湾曲した板バネで形成されているため、所定の距離だけ押されるとＹ（−）方向に湾曲していた円弧部は、Ｙ（＋）方向に湾曲する。
【００５６】
そのため、第１係止板５１の第１係止ピン５２はＹ（＋）方向に移動する。第１係止ピン５２に係止されていた遮蔽板４６は係止が解除されるため、バネ４７に付勢されＺ（−）方向に移動しようとする。ところが、移動しようとした遮蔽板４６は、移動領域内にある貫通孔５３に挿入された第２遮蔽板係止手段４９としての第２係止ピン５４に移動を阻止され、第２係止ピン５４に係止される。そのため、プリンター本体部１８０にデータ記憶装置３００が初めて接続され、サーマルプリンター１００として機能する間は、遮蔽板４６が第２係止ピン５４に係止され開口部３５はオープン状態をキープし続ける。
【００５７】
図９（ｂ）に示すように、データ記憶装置３００がプリンター本体部１８０から取り外されると、プリンター本体部１８０側に設けられている第２係止ピン５４は本体ケース３１の貫通孔５３から抜去される。バネ４７によりＺ（−）方向に付勢されるとともに、第２係止ピン５４によって係止されていた遮蔽板４６は、係止が解除されＺ（−）方向に移動する。遮蔽板４６は、本体ケース３１の開口部３５まで移動して開口部３５を遮蔽する。そのため、本体ケース３１の開口部３５の奥に配置された内部接続端子４３の接続部は、遮蔽板４６によって遮蔽され、外部から接触を図ることができなくなる。
【００５８】
以下、実施形態の効果を記載する。
（１）法律（フィスカル法）では、データ記憶装置３００がプリンター本体部１８０から安易に取り外しできない構造であること、また、許可なく取り外したときはその履歴が残ること、フィスカルメモリー８１へ不正アクセスができないこと、さらには、データの改ざん後に再取り付けができないこと等が要求されている。
上述のデータ記憶装置３００は、プリンター本体部１８０のコネクター９１と接続する内部接続端子４３が本体ケース３１の内部に配置され、本体ケースの開口部３５からその接続部が露出している。さらに、その開口部を遮蔽する遮蔽板４６を有している。この遮蔽板４６は、上述の遮蔽板作動機構４５で作動させることができる。
【００５９】
詳しくは、初期状態で遮蔽板４６は、第１遮蔽板係止手段４８の第１係止ピン５２に係止され、開口部３５がオープン状態になっている。データ記憶装置３００と、プリンター本体部１８０とが接続された場合、遮蔽板４６は、第１遮蔽板係止手段４８の第１係止ピン５２の係止が解除され、プリンター本体部１８０に設けられた第２遮蔽板係止手段４９の第２係止ピン５４に係止される。データ記憶装置３００がプリンター本体部１８０から離脱された場合、遮蔽板４６は、プリンター本体部１８０の中継部９５に設けられた第２遮蔽板係止手段４９の第２係止ピン５４の係止が解除され、データ記憶装置３００の開口部３５を遮蔽する。
【００６０】
すなわち、データ記憶装置３００の接続端子としての内部接続端子４３を隠蔽することができる。そのため、データ記憶装置３００の内部接続端子４３からの不正アクセスを防止することができる。また、データ記憶装置３００は、取り外したことが一目瞭然でわかるとともに、その後再取り付けができない。その結果、データ記憶装置３００がプリンター本体部１８０から安易に取り外されることを防止することができる。従って、不正アクセスやデータ改ざんの危険性を低減させた信頼性の高いデータ記憶装置３００を提供することができる。
【００６１】
以上、本発明の実施形態について説明したが、上記実施形態に対しては、本発明の趣旨から逸脱しない範囲で様々な変形を加えることができる。例えば上記実施形態以外の変形例は、以下の通りである。
【００６２】
（変形例１）上述の実施形態では、遮蔽板４６が遮蔽板ガイド４４にガイドされスライドする場合を例にとり説明したが、これに限定されない。遮蔽板４６の一部に、孔とピンからなる回転中心を設け回動させてもよい。また、回動方向は、本体ケース３１の内面３１ｃに平行な方向であって、遮蔽板４６は摺動してもよいし、回動方向が本体ケース３１の内面３１ｃに直角な方向であって、遮蔽板４６は開口部３５を開閉する動作をしてもよい。また、付勢手段としてのバネは圧縮コイルバネに限定されず、引っ張りコイルバネであってもよいし、ねじりコイルバネであってもよい。一定の付勢力を付加できるものであればよい。
【００６３】
（変形例２）上述の実施形態では、第１遮蔽板係止手段４８の第１係止板５１が、円弧状に形成され両端を固定した板バネである場合を例にとり説明したがこれに限定されない。第１係止板５１は、第２係止ピン５４の進行によって第１係止ピン５２の係止方向とは逆方向に変形する機能を有するものであればよく、例えば片支持の板材であってもよいし、ねじりバネ等のバネであってもよい。また、第１遮蔽板係止手段４８および第２遮蔽板係止手段４９は、配設する場所のスペース的制約によって、中間に連動部材や中継部材を設置することも可能である。
【符号の説明】
【００６４】
１０…サーマルヘッド、３１…筐体としての本体ケース、３２…メイン基板、３３…第１ケース、３４…第２ケース、３５…開口部、４２…外部接続端子、４３…内部接続端子、４６…遮蔽板、４７…付勢手段としてのバネ、４８…第１遮蔽板係止手段、４９…第２遮蔽板係止手段、５１…第１係止板、５２…第１係止ピン、５４…第２係止ピン、７０…印刷部、７８…プリンター制御部、８０…フィスカルデータ処理部、８１…フィスカルメモリー、８３…フィスカル制御部、９１…受け端子としてのコネクター、１００…サーマルプリンター、１５０…プリンター機構部、１８０…印刷装置本体部としてのプリンター本体部、２００…外装ケース、３００…データ記憶装置。
【図１】
2011116042.tif 000003
【図２】
2011116042.tif 000004
【図３】
2011116042.tif 000005
【図４】
2011116042.tif 000006
【図５】
2011116042.tif 000007
【図６】
2011116042.tif 000008
【図７】
2011116042.tif 000009
【図８】
2011116042.tif 000010
【図９】
2011116042.tif 000011
【図１０】
2011116042.tif 000012